(57)【要約】      （修正有）【課題】通信チャネルの割り当てにおいて選択の対象を追加するために、ＴＤＭＡ無線ネットワークにおけるパケットデータ伝送を制御する方法を提供する。【解決手段】あるクラスの移動局に対して、物理的制約を回避するために、下りの割り当てシグナリングのタイミングとその後の上りの送信との間の固定した関係を再定義したタイミング関係に変更する。ＧＰＲＳにおけるＵＳＦシグナリングの変更例が与えられている。【効果】上りリソースの利用可能性を増大させることができる。【選択図】図７
2005012810.tif 000002
【特許請求の範囲】
【請求項１】
送信機および受信機が上りおよび下りの動作期間中にチャネルリソースを動的に共有しており、下り信号があらかじめ定義されたタイミング関係においてすぐ次の上りリソース割り当てを制御する、移動通信システムにおけるパケットデータ伝送制御方法において、
測定期間およびターンアラウンド期間の所定の割り当てによっては上りリソースが制限されてしまう場合、再定義されたタイミング関係を割り当てて、上りリソースの利用可能性を増大させることを特徴とする。
【請求項２】
移動通信システムにおけるパケットデータ送信のための移動局であって、
上りおよび下りの動作期間中にチャネルリソースを動的に共有する送信機および受信機と、
下り信号によって制御されるあらかじめ定義されたタイミング関係において上りリソースを割り当てるスロット割当演算器と、を具備し、
前記スロット割当演算器は、
測定期間およびターンアラウンド期間の所定の割り当てによっては上りリソースが制限されてしまう場合、タイミング関係を再定義して上りリソースの利用可能性を増大させることを特徴とする。
【請求項３】
移動通信システムにおけるパケットデータ送信のための基地局であって、
上りおよび下りの動作期間中にチャネルリソースを動的に共有する送信機および受信機と、
下り信号によって制御されるあらかじめ定義されたタイミング関係において上りリソースを割り当てるスロット割当演算器と、を具備し、
前記スロット割当演算器は、
測定期間およびターンアラウンド期間の所定の割り当てによっては上りリソースが制限されてしまう場合、タイミング関係を再定義して上りリソースの利用可能性を増大させることを特徴とする。
【発明の詳細な説明】
【技術分野】
【０００１】
本発明は、多元接続通信システムに関し、特に、時分割多元接続システムにおける動的リソース割り当てに関する。
【背景技術】
【０００２】
ＧＳＭなどの多元接続無線システムにおいては、多くの移動局がネットワークとの通信を行う。移動局が使用する物理通信チャネルの割り当ては固定されている。ＧＳＭシステムの記述は、非特許文献１に見つけることができる。
【０００３】
時分割多元接続（ＴＤＭＡ：Time Division Multiple Access）システムにおけるパケットデータ通信の到来とともに、リソースの割り当て、特に物理通信チャネルの使用において、より高い柔軟性が求められている。汎用パケット無線システム（ＧＰＲＳ：General Packet Radio System）におけるパケットデータ伝送のために、多くのパケットデータチャネル（ＰＤＣＨ：Packet Data CHannel）によって物理通信リンクが提供される。時分割は持続時間４.６１５ｍｓのフレームを単位とし、各フレームは８つの連続する０.５７７ｍｓのスロットを含んでいる。ＧＰＲＳシステムの記述は、非特許文献２に見つけることができる。スロットは上りまたは下りの通信に使用される。上り通信は、移動局からの送信であり、当該移動局が属するネットワークによって受信される。ネットワークからの送信であって移動局による受信は、下りと称される。
【０００４】
利用可能な帯域を最も効率的に利用するために、チャネルへのアクセスは、チャネル状態、トラヒック負荷、サービスの質（ＱｏＳ：Quality of Service）、およびサブスクリプションクラスの変化に応じて割り当てることができる。常に変化するチャネル状態およびトラヒック負荷のため、利用可能なチャネルを動的に割り当てる方法が可能である。
【０００５】
移動局が下りの受信または上りの送信に用いる時間量はさまざまであり、スロットはそれに応じて割り当てられる。移動局において受信および送信に割り当てられるスロット列、いわゆるマルチスロットパターンは、通常、ＲＸＴＹの形で表される。割り当てられた受信（Ｒ）スロットの数がＸであり、割り当てられた送信（Ｔ）スロットの数がＹである。
【０００６】
ＧＰＲＳのオペレーションのために１から４５までの多くのマルチスロットクラスが定義され、各クラスに対して移動局における上り（送信：Ｔｘ）と下り（受信：Ｒｘ）の最大スロット割り当て数が規定されている。
【０００７】
ＧＰＲＳシステムにおいて、共有チャネルへのアクセスは、通信中の各移動局（ＭＳ）に各下りスロットで下り送信されるアップリンクステータスフラグ（ＵＳＦ：Uplink Status Flag）によって制御される。ＧＰＲＳでは、ＵＳＦをある下りスロットで受信した際にどの上りスロットが利用可能となるかについて規定が異なる２つの割り当て方法が定義されている。本発明は、移動局による潜在的な利用のために同じ数「Ｎ」のＰＤＣＨを割り当てる特別の割り当て方法に関する。ここで、「ＰＤＣＨ」は、互いに一対一で対応する一対の上りスロットと下りスロットを表している。上りチャネルを共有する特定の移動局による実際の使用に供される上りスロットは、ＵＳＦに示される。ＵＳＦは、Ｖ０からＶ７までの８つの値を取ることができるデータ項目である。このＵＳＦによって、上りのリソースを最大で８台の移動局（各移動局はこれら８つの値のうちの１つを「有効」と認識する）に割り当てることができる、つまり、リソースの独占的使用をその移動局に与えることができる。ある特定の移動局は、この移動局に割り当てられたスロットごとに異なるＵＳＦ値を認識することができる。拡張動的割り当て方法の場合、次フレームにおける上りスロットの割り当ては、「有効な」ＵＳＦを含む最も低い番号のスロットの位置によって示される。すなわち、ＵＳＦ情報要素は、当該ＵＳＦがその移動局に対して「有効」であることを示す値をとる。例えば、現フレームのスロット２で有効なＵＳＦを受信すると、これは次のＴＤＭＡフレームまたはフレーム群において送信スロット２からのＮ個を実際に送信可能であることを示している。ここで、Ｎは割り当てられたＰＤＣＨの数である。通常は、受信スロットｎで有効なＵＳＦを受信すると、次の送信フレームにおいて送信スロットｎ、ｎ＋１、以下同様に、割り当てられたスロット数（Ｎ）までの送信スロットで送信が行われる。従って、有効なＵＳＦが受信された最初の下りスロットと、割り当てられた上りリソースとの間には、単一の固定したタイミング関係がある。ここで定義した拡張動的割り当て方法の場合、割り当てられたスロットは常に連続している。
【非特許文献１】M.Mouly, M.B.Paulet, "The GSM System for Mobile Communications", ISBN reference 2-9507190-0-7, 1992
【非特許文献２】３ＧＰＰ ＴＳ ４３.０６４ ｖ５.１.１
【発明の開示】
【発明が解決しようとする課題】
【０００８】
移動局は受信状態から送信状態へ（逆もまた同様）瞬間的に切り替えを行えるものではなく、このリコンフィギュレーションに割り当てられる時間はターンアラウンド時間として知られている。このターンアラウンド時間は、受信状態から送信状態への切り替えに必要な時間、つまり、送信準備に必要な時間と、送信状態から受信状態への切り替えに必要な時間、つまり、受信準備に必要な時間の両方を含む概念である。また、移動局は、パケット転送モードにあるとき、隣接セル信号レベル測定を行う必要もある。移動局は、絶えず、ＢＡ（ＧＰＲＳ）リストで示されたすべての報知制御チャネル（ＢＣＣＨ：Broadcast Control CHannel）キャリアおよびサービス提供（serving）セルのＢＣＣＨキャリアをモニタする必要がある。少なくとも１つのＢＣＣＨキャリアについて、ＴＤＭＡフレームごとに受信信号レベル測定サンプルが取られる（３ＧＰＰ ＴＳ ４５.００８ ｖ５.１０.０）。ネットワークが移動局に対して保証するターンアラウンド時間および隣接セル信号レベル測定時間は、その移動局が適合性を主張するマルチスロットクラスに依存する（３ＧＰＰ ＴＳ ４５.００２ ｖ５.９.０ Ａｎｎｅｘ Ｂ）。
【０００９】
隣接セル信号レベル測定は、受信から送信へのリコンフィギュレーション前または送信から受信へのリコンフィギュレーション前に行われる。なお、隣接セル信号レベル測定およびターンアラウンドの組み合わせには、後述するように、隣接セル信号レベル測定およびターンアラウンド（送信準備または受信準備、以下「送信／受信準備」と略記する）の組み合わせ（２つ）と、ターンアラウンド（送信／受信準備）のみ（２つ）の、合計４つの組み合わせがある。以下、これらの組み合わせを「ターンアラウンド（および隣接セル信号レベル測定）」と略記する。
【００１０】
拡張動的割り当てモードで動作する移動局は、現在、最初の有効なＵＳＦが認識された受信（Ｒｘ）スロットに対応する送信（Ｔｘ）スロットで上り送信を開始しなければならない。すなわち、下りの割り当てシグナリングとその後の上りの送信との間のタイミングには、単一の固定した関係がある。単一トランシーバの移動局には物理的制約があるため、いくつかの望ましいマルチスロットコンフィギュレーションを利用できない。
【００１１】
この制約によって上り送信に対するスロットの利用可能性が低減され、もってデータの流れおよび変化する状態に対する応答の柔軟性が低減される。従って、現在拡張動的割り当てに利用できないマルチスロットコンフィギュレーションを利用可能にする方法を提供する必要がある。
【００１２】
本発明の目的は、既存の規定（prescript）に対する影響を最小限にしつつ、拡張動的割り当てに影響を与える制約を低減することである。
【課題を解決するための手段】
【００１３】
この目的は、あるクラスの移動局に対して、下りの割り当てシグナリングとその後の上りの送信との間の固定したタイミング関係を変更することによって達成される。従って、有効なＵＳＦを含む下りスロットと、割り当てられた上りスロットとの間には、単一の固定したタイミング関係ではなく、複数の固定したタイミング関係（以下の実施の形態では２つ）が存在し得る。適用されるタイミング関係は、ＵＳＦの値およびそのＵＳＦが受信される受信スロットなどに依存する。
【００１４】
本発明によれば、上りパケットデータ送信を制御する方法、ならびに、添付のクレームに記載の方法に従って動作する移動局および基地局が提供される。
【発明を実施するための最良の形態】
【００１５】
本実施の形態において、本発明は、複数のマルチスロットクラスに適用される規格に従って動作するＧＰＲＳ無線ネットワークに適用される。
【００１６】
図１には、ＧＰＲＳ ＴＤＭＡフレーム構造が示されており、上り（ＵＬ）および下り（ＤＬ）のスロットに用いられる番号付け規則が示されている。注目すべきは、図示しないが、実際上はタイミングアドバンス（ＴＡ）により、上りの送信（Ｔｘ）は下りの受信（Ｒｘ）に対して進んでいても良いことである。従って、実際上は、タイミングアドバンスにより、１フレームの最初のＲｘと最初のＴｘとの間の時間量を、図示する値の３スロットから少しだけ（１スロットに満たない分とする）減らしても良い。
【００１７】
図１は、下り（ＤＬ）スロットおよび上り（ＵＬ）スロットを別々に示しつつ、２つの連続するＴＤＭＡフレームを示している。第１フレーム内のスロット位置は０から７の数字で示され、送信スロットと受信スロットのオフセットは３スロットのマージンで示されている。これは、ＴＤＭＡの第１送信フレームは第１受信フレームよりも３オフセット分遅れているという規則に従うものである（従って、通常のシングルスロットＧＳＭは送信スロット１と受信スロット１のみが用いられる特殊な場合とみなすことができる）。
【００１８】
残りの図面（フロー図およびブロック図を除く）は図１と同様であるが、より一層明確にするためにスロット番号は除いている。斜線を施したスロットは、特定の状態のために割り当てられたスロットである。格子模様を施したスロットは、有効なＵＳＦの受信と、そのＵＳＦを受信したスロットとを示している。上記のように、ターンアラウンド（および隣接セル信号レベル測定）を割り当てる必要があるために制約が課されており、３ＧＰＰ ＴＳ ４５.００２ Ａｎｎｅｘ Ｂでは、そのための規定によって、表１に示すように動的割り当てが制限されている。
【００１９】
【表１】
2005012810.tif 000003
Ｔｔａは、ＭＳが隣接セル信号レベル測定および送信準備をするのに必要な時間である。
Ｔｔｂは、ＭＳが送信準備をするのに必要な時間である。
Ｔｒａは、ＭＳが隣接セル信号レベル測定および受信準備をするのに必要な時間である。
Ｔｒｂは、ＭＳが受信準備をするのに必要な時間である。
注目すべきは、実際上はタイミングアドバンスにより、時間ＴｔａおよびＴｔｂを少しだけ（１スロットに満たない分とする）減らしても良いことである。
ｔ０は、３１シンボル期間タイミングアドバンスオフセットである。
【００２０】
ここで、本発明の前提技術である拡張動的割り当て方法について説明しておく。拡張動的割り当て方法では、一対の受信フレームと送信フレームとが所定のオフセットを持って一対一に対応しており、有効なＵＳＦが受信された受信スロットと同じ番号の送信スロットから送信が開始される。送信の開始は、有効なＵＳＦが受信された受信フレームに対応する送信フレームの次の送信フレームから実施される。また、送信フレームで送信される送信スロットの数は、その送信フレームに割り当てられたスロット数（Ｎ）に等しく、また、送信フレームで送信されるスロットは、常に連続している。送信スロットの開始位置は、次の有効なＵＳＦが受信されるまで維持される。
【００２１】
例えば、図２を参照して、同図には、クラス３４の移動局に対する定常状態のＲ１Ｔ４（下り１スロット、上り４スロット）の割り当ての例が示されている。この場合、受信が１スロット、送信が４スロットであり、受信スロット０で受信された有効なＵＳＦによって、次の上りフレームにおいて４つの送信スロットが許容される。具体的には、有効なＵＳＦが受信スロット０で受信されているため、次の送信フレームにおいて送信スロットの開始位置は、送信スロット０になっている。このとき、送信される送信スロットの数は、割り当てられた送信スロット数と同じ４であり、この４つの送信スロットは連続している。このクラス３４に対するターンアラウンド（および隣接セル信号レベル測定）の期間は、表１に、おのおの１スロットを有するＴｒａ、Ｔｒｂ、Ｔｔｂとして、また、２スロットを有するＴｔａとしてそれぞれ示されている。この割り当ての場合は、有効なＵＳＦがスロット０で受信されたとき、これらの期間を受け入れることができる。
【００２２】
しかし、上りスロットの割り当てが５スロットになると、クラス３４の移動局に対するＲ１Ｔ５（下り１スロット、上り５スロット）の割り当ての例を示す図３に示すように、制約が生じる。この制約は「Ａ」で示す位置で生じる。この場合、送信スロット４と受信スロット０との間に全くスロットが残らず、送信から受信へ切り替えるためのターンアラウンド（受信準備）および隣接セル信号レベル測定時間（Ｔｒａ）のみならずターンアラウンド（受信準備）時間（Ｔｒｂ）さえも割り当てることができないためである。なお、隣接セル信号レベル測定を含む期間については、下りスロット０で有効なＵＳＦが受信され、次の１スロットでＴｔｂまたは次の２スロットでＴｔａを提供することはできる。
【００２３】
そこで、本発明によれば、本実施の形態では、一方で、移動局は、パケット上り割り当て（Packet Uplink Assignment）メッセージおよびパケットタイムスロットリコンフィギュア（Packet Timeslot Reconfigure）メッセージにおけるＵＳＦ＿ＴＮ０からＵＳＦ＿ＴＮ７の情報要素（Information Element）を用いることで、上りスロットを通常の方法で割り当てる。しかし、他方で、ネットワークは、第１の割り当てスロットと第２の割り当てスロットの両方に対して、第２の割り当てスロットに関係する下りＰＤＣＨでＵＳＦを送信する。従って、ＵＳＦの値が含まれる下りスロットと、割り当てられる可能性がある上りスロットとの間に、２つの固定したタイミング関係が存在し（それぞれ、標準ＵＳＦおよび「シフト（shifted）」ＵＳＦと呼ぶ）、次フレームでどちらを採用すべきかは、ＵＳＦの値によって示される。
【００２４】
一例として、上記のように、下り１スロット、上り５スロット（ＴＮ０〜ＴＮ４）が割り当てられたクラス３４ＭＳについて考える。ただし、この場合、ネットワークは、ＵＳＦ＿ＴＮ０をスロット０でなくスロット１で送信する。この配置は図４に示されており、同図から分かるように、「Ｂ」および「Ｃ」で示すスロットは、それぞれ、ＴｔｂおよびＴｒａを提供する。すなわち、このシフトＵＳＦによって、送信準備のための時間Ｔｔｂ（１スロット）および隣接セル信号レベル測定と受信準備のための時間Ｔｒａ（１スロット）を割り当てることが可能になり、図３に示すオペレーションでは禁止されていた５スロット定常状態の割り当てＲ１Ｔ５が可能になる。
【００２５】
この場合、ネットワークによる上り５スロットのＭＳへの割り当ては、スロット１でＵＳＦ＿ＴＮ０を送信することによって示される。従って、ＵＳＦ＿ＴＮ０とＵＳＦ＿ＴＮ１の２つの信号の特性は相違していなければならず、しかも移動局によって区別できなければならない。
【００２６】
いつシフトＵＳＦメカニズムが用いられるかを示すために特別の情報要素を追加する必要はない。特定のマルチスロットクラスの移動局に対するスロット割り当てにおいて暗黙的に示すことができるためである。従って、シグナリングのオーバヘッドの増加は要求されない。
【００２７】
図５には、シフトＵＳＦの実施によって可能になった割り当ての他の例が示されている。この適用例は、上り３スロットが割り当てられたクラス７のＭＳである。上り３スロットを割り当てる下りスロット１上のＵＳＦは、利用可能な最初の上りスロットが通常のスロット１ではなく上りスロット０であることを示している。これは、表１により要求されるように、図５においてそれぞれ「Ｄ」および「Ｅ」で示す期間ＴｔｂおよびＴｒａを提供する。すなわち、このシフトＵＳＦによって、送信準備のための時間Ｔｔｂ（１スロット）および隣接セル信号レベル測定と受信準備のための時間Ｔｒａ（３スロット）を割り当てることが可能になる。この割り当ては、従来技術ではＴｒａに対する十分な期間がないために、これまで利用可能でなかったものである。
【００２８】
図６に示す２スロット割り当ての例では、通常の動作に戻っている、つまり、ＵＳＦのシフトは行われていない。図６に示す２スロット割り当ての場合、通常の割り当てにおいて物理的制約はなく、スロット１の標準ＵＳＦによって上りスロット番号１から始まる上りスロットが割り当てられる。
【００２９】
もう１つの方法として、上りの割り当て位置のシフトを示す積極的なシグナリングを適用することが便利なこともあり、図７には拡張動的割り当て動作を行う移動局におけるシフトＵＳＦの実施例が示されている。注目すべきは、図７のステップ２は、明示（つまり、追加のシグナリング）であっても、黙示（特定のマルチスロットクラスコンフィギュレーションに対して自動的）であっても良い。図７を参照して、移動局は、ステップ１で、ネットワークから上りリソースおよびＵＳＦの割り当てを受ける。もしステップ２で、シフトＵＳＦの使用を示すインディケーションを検出すると、第１のＵＳＦに対して、第２の下りスロットをモニタし（ステップ３）、さもなければ第１の下りスロットをモニタする（ステップ４）。いずれにせよ、ステップ５で、有効なＵＳＦを受信したと判断すると、移動局から第１の上りスロットで上り送信を開始する（ステップ６）。ステップ５で、有効なＵＳＦを受信しなかったと判断した場合は、ステップ７で、第２のＵＳＦに対して第２の下りスロットをモニタし、そのＵＳＦが有効であれば（ステップ８）、第２の上りスロットで上り送信を開始する（ステップ９）。
【００３０】
図２から図６に示す例では、割り当てが定常状態であるため、図示の割り当てはフレーム間で維持されている。本発明は、定常状態の割り当てに限定されるわけではなく、フレームごとに変化する上りリソースの制御にも適用可能である。
【００３１】
図８および図９には状態移行の例が示されている。これらの図はおのおの４つの連続するフレームを示しているが、提示のため上下二段に分割されている。
【００３２】
図８は、クラス３４の移動局に対する、上り１スロットの割り当てから上り５スロットの割り当てへの移行を示している。最初の（上側の）２つのフレームは１スロットの定常状態の動作を示し、次の（下側の）２つのフレームは移行フレームを示している。この移行ではＵＳＦの値とスロット位置の両方が変更されている。具体的には、例えば、図８は、Ｒ１Ｔ１からＲ１Ｔ５への状態移行を示している。Ｒ１Ｔ１の状態では、有効な標準ＵＳＦ＿ＴＮ４が下りスロット４で受信されているため、次の送信フレームにおいて送信スロットの開始位置は上りスロット４になっている。その後、ＵＳＦの値がＴＮ０に変更されるとともにＵＳＦのスロット位置が下りスロット１に変更されているため、シフトＵＳＦのオペレーションが実施され、次の送信フレーム（移行後のＲ１Ｔ５の状態）において送信スロットの開始位置は上りスロット０になっている。このとき、送信される送信スロットの数は、割り当てられた送信スロット数と同じ５であり、この５つの送信スロットは連続している。
【００３３】
図９は、クラス３４の移動局に対する、上り４スロットから上り５スロットへの移行を示している。最初の２フレームは４スロットの定常状態の動作を示し、次の２フレームは移行フレームを示している。この移行では、ＵＳＦのスロット位置は変わらないが、ＵＳＦの値が変更されている。具体的には、例えば、図９は、Ｒ１Ｔ４からＲ１Ｔ５への状態移行を示している。Ｒ１Ｔ４の状態では、有効な標準ＵＳＦ＿ＴＮ１が下りスロット１で受信されているため、次の送信フレームにおいて送信スロットの開始位置は上りスロット１になっている。その後、ＵＳＦのスロット位置は変わらずにＵＳＦの値がＴＮ０に変更されているため、シフトＵＳＦのオペレーションが実施され、次の送信フレーム（移行後のＲ１Ｔ５の状態）において送信スロットの開始位置は上りスロット０になっている。
【００３４】
ＧＰＲＳにおいて本発明を実施するため、例えば、タイプ１のＭＳに対して、表（表２）を作り、以下の原理を用いて拡張動的割り当てを可能にすることができる。
【００３５】
拡張動的割り当ての場合、ＭＳが「物理的スロット限界まで送信」できることが望ましい。特に、ＭＳは、ＵＳＦ値をきっちり１スロットで受信し復号し続けるとともに隣接セル信号レベル測定を実行しつつ、そのマルチスロットクラスの制限に従って可能な最大スロット数を送信可能であるべきである。Ｔｒａを用いるとＭＳが「物理的スロット限界まで送信」することを可能にするマルチスロットコンフィギュレーションを定義できない場合において、Ｔｔａを用いるとそれが可能になるときは、Ｔｔａを用いる。
【００３６】
ＭＳが「物理的スロット限界まで送信」することを可能にする拡張動的割り当てのマルチスロットコンフィギュレーションを定義できない場合において、シフトＵＳＦメカニズムを用いるとそれが可能になるときは、シフトＵＳＦを用いる。この場合、Ｔｒａを最優先で用い、これが不可能なときにＴｔａを第２優先で用いる。
【００３７】
なお、後述するように、シフトＵＳＦを使用するか否かの判断は基地局によって行われ、Ｔｒａ、Ｔｔｂ、Ｔtａ、Ｔrｂの選択は移動局によって行われる。
【００３８】
【表２】
2005012810.tif 000004
【００３９】
図１０は、本実施の形態に対応する移動局（ＭＳ）のブロック図である。
【００４０】
移動局（無線データ通信端末）１００は、基地局２００と外部のデータソース／シンク１３０との間で双方向のデータ転送が可能である。
【００４１】
ダウンリンク
基地局２００は、ＧＰＲＳ信号を移動局１００に送信する。このＧＰＲＳ信号は、受信アンテナ１０２で受信され、無線周波数復調器１０８によってベースバンドに復調される。無線周波数復調器１０８は、ベースバンド信号をベースバンドデータ受信器１０６に送る。ベースバンドデータ受信器１０６は、受信したベースバンドデータをデマルチプレクサ１１０に送る。デマルチプレクサ１１０は、タイミングコントローラ１２０からの制御入力によって、上記データを処理するためにＮＣＥＬＬ測定ユニット１１２またはレイヤ２プロトコルユニット１１４のいずれかを選択する。
【００４２】
下りベースバンドデータがＮＣＥＬＬ測定ユニット１１２に向かう場合、このユニットは、隣接セル信号レベル測定を行い、その結果得られた情報をレイヤ３プロトコルユニット１１６に送信する。レイヤ３プロトコルユニット１１６は、今度は、データを基地局２００に対し上りで送信する。
【００４３】
隣接セル信号レベル測定に用いられる下りベースバンドデータは、レイヤ３プロトコルユニット１１６に送られる。レイヤ３プロトコルユニット１１６は、ユーザプレーンデータと制御プレーンデータを分離する。ユーザデータは、端末インタフェースユニット１１８に送られる。端末インタフェースユニット１１８は、このデータを外部のデータソース／シンク１３０に送る。
【００４４】
制御
制御プレーンデータは、内部制御機能の実行に用いられる。特に、基地局２００から送られてきた任意のＧＰＲＳスロット割り当てフレームは、パラメータデータをスロット割当計算器１２８に送るのに用いられる。スロット割当計算器１２８は、データ受信、データ送信、および隣接セル信号レベル測定のためにどのＴＤＭＡスロットを使用すべきかを計算する。この情報はタイミングコントローラ設定計算器１２６に送られる。タイミングコントローラ設定計算器１２６は、受信準備、送信準備、および隣接セル信号レベル測定の各動作を正確な時間に行うよう、タイミングコントローラ１２０を再設定する。
【００４５】
図１１は、スロット割当計算器１２８の動作の一例を示すフローチャートである。
【００４６】
まず、ステップＳ１０００では、パラメータＵsfを０に設定する。ここで、パラメータＵsfは、シフトＵＳＦの使用の有無を示すパラメータであり、０の場合はシフトＵＳＦを使用せず、つまり、標準ＵＳＦを使用し、−１の場合はシフトＵＳＦを使用すべきことを示す。
【００４７】
そして、ステップＳ１１００では、パラメータＴra_flagを１に設定するとともに、パラメータＴｒ、ＴｔをそれぞれＴra[class]、Ｔtb[class]の値に設定する。ここで、Ｔra_flagは、隣接セル信号レベル測定を含む区間としてＴｒａとＴｔａのどちらを使用すべきかを示すパラメータであり、１の場合はＴｒａを使用し、０の場合はＴｔａを使用すべきことを示す。また、Ｔra[class]およびＴtb[class]は、それぞれ、入力パラメータであるクラス（移動局のマルチスロットクラス）に割り当てられたＴｒａ、Ｔｔｂの値である。クラスの番号は、移動局の属性である。また、各クラスに対応するＴｒａ、Ｔｔｂの値は、例えば、表１の形態で、あらかじめ記憶されている。
【００４８】
そして、ステップＳ１２００では、パラメータＲxminを、ステップＳ１１００で設定したＴｒ値に設定する。ここで、Ｒxminは、下りの受信スロットの先頭のスロットの番号を示すパラメータである。
【００４９】
そして、ステップＳ１３００では、送信スロット数（Ｔｘ）と受信スロット数（Ｒｘ）とを比較する。この比較の結果として、Ｔｘ≧Ｒｘの場合は（Ｓ１３００：ＮＯ）、ステップＳ１４００に進み、Ｔｘ＜Ｒｘの場合は（Ｓ１３００：ＹＥＳ）、ステップＳ１６００に進む。なお、Ｔｘ、Ｒｘの各値は、上位レイヤからの無線リソース制御プレーンデータに含まれている。
【００５０】
ステップＳ１４００では、さらに、Ｒｘ＋Ｔｔが３＋Ｕsf未満か否かを判断する。ここで、「３」は、下りと上りのオフセットのスロット数である。この判断の結果として、Ｒｘ＋Ｔｔ＜３＋Ｕsfの場合は（Ｓ１４００：ＹＥＳ）、ステップＳ１５００に進み、Ｒｘ＋Ｔｔ≧３＋Ｕsfの場合は（Ｓ１４００：ＮＯ）、ステップＳ１６００に進む。
【００５１】
ステップＳ１５００では、パラメータＴxminをＴｒ＋３＋Ｕsfに設定する。一方、ステップＳ１６００では、パラメータＴxminをＴｒ＋Ｒｘ＋Ｔｔに設定する。ここで、Ｔxminは、上りの送信スロットの先頭のスロットの番号を示すパラメータである。また、ＴｒおよびＴｔは、ステップＳ１１００で設定した値を用いる。
【００５２】
そして、ステップＳ１７００では、パラメータＴxmaxをＴxmin＋Ｔｘに設定する。ここで、Ｔxmaxは、上りの送信スロットの末尾のスロットの次のスロットの番号を示すパラメータである。また、Ｔxminは、ステップＳ１５００またはステップＳ１６００で設定した値を用いる。
【００５３】
そして、ステップＳ１８００では、処理を終了するか否かを判断する。具体的には、同一のＵsf値について、ステップＳ１１００〜ステップＳ１７００の処理が１回目か２回目かを判断する。この判断の結果として、処理を終了しない場合、つまり、ステップＳ１１００〜ステップＳ１７００の処理が１回目の場合は（Ｓ１８００：ＮＯ）、ステップＳ１９００に進み、処理を終了する場合、つまり、ステップＳ１１００〜ステップＳ１７００の処理が２回目の場合は（Ｓ１８００：ＹＥＳ）、一連の処理を終了する。
【００５４】
ステップＳ１９００では、ステップＳ１７００で設定したＴxmaxが８以下か否かを判断する。ここで、「８」は、１フレームに含まれるスロット数である。この判断の結果として、Ｔxmax≦８の場合は（Ｓ１９００：ＹＥＳ）、一連の処理を終了し、Ｔxmax＞８の場合は（Ｓ１９００：ＮＯ）、ステップＳ２０００に進む。
【００５５】
ステップＳ２０００では、パラメータＴra_flagを０にするか否か、つまり、隣接セル信号レベル測定を含む区間としてＴｒａの代わりにＴｔａを使用するか否かを判断する。この判断の結果として、Ｔra_flagを０にする場合は（Ｓ２０００：ＹＥＳ）、ステップＳ２１００に進み、Ｔra_flagを０にしない場合は（Ｓ２０００：ＮＯ）、ステップＳ２２００に進む。
【００５６】
ステップＳ２１００では、パラメータＴra_flagを０に設定するとともに、パラメータＴｒ、ＴｔをそれぞれＴrb[class]、Ｔta[class]の値に設定した後、ステップＳ１２００に進み、ステップＳ１２００〜ステップＳ１７００の処理を繰り返す。ここで、Ｔrb[class]およびＴta[class]は、それぞれ、入力パラメータであるクラスに割り当てられたＴｒｂ、Ｔｔａの値である。上記のように、クラスの番号は、上位レイヤからの無線リソース制御プレーンデータに含まれ、また、各クラスに対応するＴｒｂ、Ｔｔａの値は、表１の形態で、あらかじめ記憶されている。なお、この場合、ステップＳ１２００〜ステップＳ１７００の処理が完了すると（Ｓ１８００：ＹＥＳ）、一連の処理を終了する。
【００５７】
ステップＳ２２００では、パラメータＵsfを−１に設定した後、ステップＳ１１００に進み、ステップＳ１１００〜ステップＳ１７００の処理を繰り返す。なお、この場合、ステップＳ１２００〜ステップＳ１７００の処理を完了しても、Ｕsfの値が変わった後では１回目の処理であるため（Ｓ１８００：ＮＯ）、ステップＳ１９００に進む。
【００５８】
ステップＳ１９００の判断の結果として（Ｓ１９００：ＹＥＳ）またはステップＳ１８００の判断の結果として（Ｓ１８００：ＹＥＳ）一連の処理を終了すると、情報として終了時のパラメータＵsf、Ｔra_flag、Ｒxmin、Ｔxmin、Ｔxmaxの各値を出力する。
【００５９】
要するに、まず、シフトＵＳＦが使用されないとした場合において、隣接セル信号レベル測定を含む期間としてＴｒａを使用できるか否か、つまり、区間の組み合わせとしてＴｒａとＴｔｂを使用できるか否かをチェックする。具体的には、下りの受信スロット数（Ｒｘ）が上りの送信スロット数（Ｔｘ）よりも大きい場合（Ｓ１３００：ＹＥＳ）、および、Ｒｘ＋Ｔｔが３以上（ここではＵsf＝０）の場合は（Ｓ１４００：ＮＯ）、ＴxminをＴｒ＋Ｒｘ＋Ｔｔとし（Ｓ１６００）、そうでなければ、ＴxminをＴｒ＋３とする（Ｓ１５００）。そして、ＴxmaxをＴxmin＋Ｔｘとする（Ｓ１７００）。そして、Ｔxmaxが８以下の場合は（Ｓ１９００：ＹＥＳ）、隣接セル信号レベル測定を含む期間としてＴｒａを使用する、つまり、区間の組み合わせとしてＴｒａとＴｔｂを使用する。
【００６０】
これに対し、Ｔxmaxが８を超えてしまう場合は（Ｓ１９００：ＮＯ）、ここではＴra_flag＝１だったので、次に、シフトＵＳＦが使用されないとした場合において、隣接セル信号レベル測定を含む期間としてＴｔａを使用できるか否か、つまり、区間の組み合わせとしてＴｒｂとＴｔａを使用できるか否かをチェックする。具体的には、下りの受信スロット数（Ｒｘ）が上りの送信スロット数（Ｔｘ）よりも大きい場合（Ｓ１３００：ＹＥＳ）、および、Ｒｘ＋Ｔｔが３以上（ここではＵsf＝０）の場合は（Ｓ１４００：ＮＯ）、ＴxminをＴｒ＋Ｒｘ＋Ｔｔとし（Ｓ１６００）、そうでなければ、ＴxminをＴｒ＋３とする（Ｓ１５００）。そして、ＴxmaxをＴxmin＋Ｔｘとする（Ｓ１７００）。そして、Ｔxmaxが８以下の場合は（Ｓ１９００：ＹＥＳ）、隣接セル信号レベル測定を含む期間としてＴｔａを使用する、つまり、区間の組み合わせとしてＴｒｂとＴｔａを使用する。
【００６１】
これに対し、Ｔxmaxが８を超えてしまう場合は（Ｓ１９００：ＮＯ）、ここではＴra_flag＝０だったので、次に、シフトＵＳＦが使用されると判断する。なお、シフトＵＳＦが使用される場合にも、ステップＳ１１００〜ステップＳ２１００の処理を行うことにより、まず隣接セル信号レベル測定を含む期間としてＴｒａを使用できるか否かをチェックし、Ｔｒａを使用できない場合にＴｔａを使用する。すなわち、シフトＵＳＦが使用される場合は、Ｔｒａを最優先で使用し、これが不可能なときにＴｔａを第２優先で使用する。
【００６２】
なお、図１１の動作例では、各Ｕsf値について、ステップＳ２１００の後にステップＳ１２００〜ステップＳ１７００の処理をもう一度行うようにしているが、これに限定されるわけではない。出力としてＵsfおよびＴra_flag以外のパラメータ（例えば、Ｒxmin、Ｔxmin、Ｔxmaxなど）が不要であれば、つまり、ＵsfおよびＴra_flagだけ設定されていれば良い場合は、ステップＳ２１００の後に、ステップＳ１２００〜ステップＳ１７００の処理を繰り返すことなく、ただちに終了するようにしても良い。
【００６３】
タイミングコントローラ１２０は、基地局２００に対する信号の送受信のタイミングを決定し制御するとともに、測定データの受信を行う。タイミングコントローラ１２０は、スロット割当計算器１２８の計算結果に従って、無線周波数変調器１２２、無線周波数復調器１０８、ベースバンドデータ受信器１０６、ベースバンド送信器１２４、およびデマルチプレクサ１１０の正確なタイミングおよび動作を制御する。具体的には、Ｔra_flag＝１の場合は、隣接セル信号レベル測定を含む期間としてＴrａを使用し、Ｔra_flag＝０の場合は、隣接セル信号レベル測定を含む期間としてＴｔａを使用し、また、Ｕsf＝０の場合はシフトＵＳＦを使用せず、Ｕsf＝−１の場合はシフトＵＳＦを使用するように、各部を制御する。
【００６４】
アップリンク
外部のデータソース／シンク１３０から送信されるユーザデータは、端末インタフェースユニット１１８によって受け取られ、レイヤ３プロトコルユニット１１６に与えられる。レイヤ３プロトコルユニット１１６は、このデータを任意のプロトコル制御データと多重してレイヤ２プロトコルユニット１１４を介して送信する。レイヤ２プロトコルユニット１１４は、今度は、その多重データをベースバンド送信器１２４に送る。その後、多重データは、無線周波数変調器１２２によって変調され、その後、送信アンテナ１０４を介して送信される。
【００６５】
図１２は、本実施の形態に対応する基地局のブロック図である。
【００６６】
無線基地局２００は、複数の移動局１００と外部の基地局コントローラ（ＢＳＣ：Base Station Controller）２３０との間での双方向のデータ転送が可能である。
【００６７】
アップリンク
各移動局１００は、正確にタイミングされたＧＰＲＳ信号を基地局２００に送信する。このＧＰＲＳ信号は、受信アンテナ２０２で受信され、無線周波数復調器２０８によってベースバンドに復調される。無線周波数復調器２０８は、ベースバンド信号をベースバンドデータ受信器２０６に送る。複数の受信周波数を用いる場合は、１周波数ごとに一組の無線周波数復調器２０８とベースバンドデータ受信器２０６が設けられている。ベースバンドデータ受信器２０６は、受信したベースバンドデータをマルチプレクサＭＳ２１０に送る。マルチプレクサＭＳ２１０は、タイミングコントローラ２２０からの制御入力によって、そのデータがどのＭＳから届いたかを記録した上で、すべてのデータをレイヤ２プロトコルユニット２１４に転送する。レイヤ２プロトコルユニット２１４は、各移動局１００に対する個々のコンテキストを保持する。
【００６８】
隣接セル信号レベル測定に用いられる下りベースバンドデータは、レイヤ３プロトコルユニット２１６に送られる。レイヤ３プロトコルユニット２１６は、各移動局１００に対する個々のコンテキストを保持する。レイヤ３プロトコルユニット２１６は、ユーザプレーンデータと無線リソース制御プレーンデータを分離する。ユーザデータおよび無線リソース制御プレーンデータは、ＢＳＣインタフェースユニット２１８に送られる。ＢＳＣインタフェースユニット２１８は、このデータを外部の基地局コントローラ２３０に送る。
【００６９】
制御
無線リソース制御プレーンデータは、内部制御機能の実行に用いられる。特に、スロット割当計算器２２８は、通常は必要なデータレートに基づいて、各移動局１００に対してどのＧＰＲＳスロットを割り当てるかを計算する。この情報はレイヤ３プロトコルユニット２１６に送られる。レイヤ３プロトコルユニット２１６は、割り当て情報を移動局１００に送る。また、この情報は、タイミングコントローラ設定計算器２２６にも送られる。また、他ＭＳスロット割り当て器２３２は、外部の基地局コントローラ２３０からＢＳＣインタフェースユニット２１８を介して必要なデータを受け取り、他の移動局に対する割り当て情報を計算する。この情報もタイミングコントローラ設定計算器２２６に送られる。タイミングコントローラ設定計算器２２６は、各移動局１００に対する受信および送信の各動作を正確な時間に行うよう、タイミングコントローラ２２０を再設定する。
【００７０】
図１３は、スロット割当計算器２２８の動作の一例を示すフローチャートである。なお、パラメータＵsf、Ｔra_flag、Ｔｒ、Ｔｔ、Ｒxmin、Ｔxmin、Ｔxmaxは、図１１に示すパラメータと同様であるため、その説明を省略する。
【００７１】
まず、ステップＳ３０００では、パラメータＵsfを０に設定する。
【００７２】
そして、ステップＳ３１００では、パラメータＴra_flagを１に設定するとともに、パラメータＴｒ、ＴｔをそれぞれＴra[class]、Ｔtb[class]の値に設定する。ここで、Ｔra[class]およびＴtb[class]は、それぞれ、入力パラメータであるクラス（移動局のマルチスロットクラス）に割り当てられたＴｒａ、Ｔｔｂの値である。クラスの番号は、移動局の属性である。また、各クラスに対応するＴｒａ、Ｔｔｂの値は、例えば、表１の形態で、あらかじめ記憶されている。
【００７３】
そして、ステップＳ３２００では、パラメータＲxminを、ステップＳ３１００で設定したＴｒ値に設定する。
【００７４】
そして、ステップＳ３３００では、送信スロット数（Ｔｘ）と受信スロット数（Ｒｘ）とを比較する。この比較の結果として、Ｔｘ≧Ｒｘの場合は（Ｓ３３００：ＮＯ）、ステップＳ３４００に進み、Ｔｘ＜Ｒｘの場合は（Ｓ３３００：ＹＥＳ）、ステップＳ３６００に進む。なお、Ｔｘ、Ｒｘの各値は、上位レイヤからの無線リソース制御プレーンデータに含まれている。
【００７５】
ステップＳ３４００では、さらに、Ｒｘ＋Ｔｔが３＋Ｕsf未満か否かを判断する。ここで、「３」は、上記のように、下りと上りのオフセットのスロット数である。この判断の結果として、Ｒｘ＋Ｔｔ＜３＋Ｕsfの場合は（Ｓ３４００：ＹＥＳ）、ステップＳ３５００に進み、Ｒｘ＋Ｔｔ≧３＋Ｕsfの場合は（Ｓ３４００：ＮＯ）、ステップＳ３６００に進む。
【００７６】
ステップＳ３５００では、パラメータＴxminをＴｒ＋３＋Ｕsfに設定する。一方、ステップＳ３６００では、パラメータＴxminをＴｒ＋Ｒｘ＋Ｔｔに設定する。ここで、ＴｒおよびＴｔは、ステップＳ３１００で設定した値を用いる。
【００７７】
そして、ステップＳ３７００では、パラメータＴxmaxをＴxmin＋Ｔｘに設定する。ここで、Ｔxminは、ステップＳ３５００またはステップＳ３６００で設定した値を用いる。
【００７８】
そして、ステップＳ３８００では、処理を終了するか否かを判断する。具体的には、同一のＵsf値について、ステップＳ３１００〜ステップＳ３７００の処理が１回目か２回目かを判断する。この判断の結果として、処理を終了しない場合、つまり、ステップＳ３１００〜ステップＳ３７００の処理が１回目の場合は（Ｓ３８００：ＮＯ）、ステップＳ３９００に進み、処理を終了する場合、つまり、ステップＳ３１００〜ステップＳ３７００の処理が２回目の場合は（Ｓ３８００：ＹＥＳ）、一連の処理を終了する。
【００７９】
ステップＳ３９００では、ステップＳ３７００で設定したＴxmaxが８以下か否かを判断する。ここで、「８」は、上記のように、１フレームに含まれるスロット数である。この判断の結果として、Ｔxmax≦８の場合は（Ｓ３９００：ＹＥＳ）、一連の処理を終了し、Ｔxmax＞８の場合は（Ｓ３９００：ＮＯ）、ステップＳ４０００に進む。
【００８０】
ステップＳ４０００では、パラメータＴra_flagを０にするか否か、つまり、隣接セル信号レベル測定を含む区間としてＴｒａの代わりにＴｔａを使用するか否かを判断する。この判断の結果として、Ｔra_flagを０にする場合は（Ｓ４０００：ＹＥＳ）、ステップＳ４１００に進み、Ｔra_flagを０にしない場合は（Ｓ４０００：ＮＯ）、ステップＳ４２００に進む。
【００８１】
ステップＳ４１００では、パラメータＴra_flagを０に設定するとともに、パラメータＴｒ、ＴｔをそれぞれＴrb[class]、Ｔta[class]の値に設定した後、ステップＳ４２００に進み、ステップＳ３２００〜ステップＳ３７００の処理を繰り返す。ここで、Ｔrb[class]およびＴta[class]は、それぞれ、入力パラメータであるクラスに割り当てられたＴｒｂ、Ｔｔａの値である。上記のように、クラスの番号は、上位レイヤからの無線リソース制御プレーンデータに含まれ、また、各クラスに対応するＴｒｂ、Ｔｔａの値は、表１の形態で、あらかじめ記憶されている。なお、この場合、ステップＳ３２００〜ステップＳ３７００の処理が完了すると（Ｓ３８００：ＹＥＳ）、一連の処理を終了する。
【００８２】
ステップＳ４２００では、パラメータＵsfを−１に設定した後、ステップＳ３１００に進み、ステップＳ３１００〜ステップＳ３７００の処理を繰り返す。なお、この場合、ステップＳ３２００〜ステップＳ３７００の処理を完了しても、Ｕsfの値が変わった後では１回目の処理であるため（Ｓ３８００：ＮＯ）、ステップＳ３９００に進む。
【００８３】
ステップＳ３９００の判断の結果として（Ｓ３９００：ＹＥＳ）またはステップＳ３８００の判断の結果として（Ｓ３８００：ＹＥＳ）一連の処理を終了すると、情報として終了時のパラメータＵsf、Ｔra_flag、Ｒxmin、Ｔxmin、Ｔxmaxの各値を出力する。
【００８４】
要するに、この場合も、まず、シフトＵＳＦを使用しないとした場合において、ＭＳが隣接セル信号レベル測定を含む期間としてＴｒａを使用できるか否か、つまり、区間の組み合わせとしてＴｒａとＴｔｂを使用できるか否かをチェックする。具体的には、下りの受信スロット数（Ｒｘ）が上りの送信スロット数（Ｔｘ）よりも大きい場合（Ｓ３３００：ＹＥＳ）、および、Ｒｘ＋Ｔｔが３以上（ここではＵsf＝０）の場合は（Ｓ３４００：ＮＯ）、ＴxminをＴｒ＋Ｒｘ＋Ｔｔとし（Ｓ３６００）、そうでなければ、ＴxminをＴｒ＋３とする（Ｓ３５００）。そして、ＴxmaxをＴxmin＋Ｔｘとする（Ｓ３７００）。そして、Ｔxmaxが８以下の場合は（Ｓ３９００：ＹＥＳ）、隣接セル信号レベル測定を含む期間としてＴｒａを使用する、つまり、区間の組み合わせとしてＴｒａとＴｔｂを使用する。
【００８５】
これに対し、Ｔxmaxが８を超えてしまう場合は（Ｓ３９００：ＮＯ）、ここではＴra_flag＝１だったので、次に、シフトＵＳＦを使用しないとした場合において、ＭＳが隣接セル信号レベル測定を含む期間としてＴｔａを使用できるか否か、つまり、区間の組み合わせとしてＴｒｂとＴｔａを使用できるか否かをチェックする。具体的には、下りの受信スロット数（Ｒｘ）が上りの送信スロット数（Ｔｘ）よりも大きい場合（Ｓ３３００：ＹＥＳ）、および、Ｒｘ＋Ｔｔが３以上（ここではＵsf＝０）の場合は（Ｓ３４００：ＮＯ）、ＴxminをＴｒ＋Ｒｘ＋Ｔｔとし（Ｓ３６００）、そうでなければ、ＴxminをＴｒ＋３とする（Ｓ３５００）。そして、ＴxmaxをＴxmin＋Ｔｘとする（Ｓ３７００）。そして、Ｔxmaxが８以下の場合は（Ｓ３９００：ＹＥＳ）、隣接セル信号レベル測定を含む期間としてＴｔａを使用する、つまり、区間の組み合わせとしてＴｒｂとＴｔａを使用する。
【００８６】
これに対し、Ｔxmaxが８を超えてしまう場合は（Ｓ３９００：ＮＯ）、ここではＴra_flag＝０だったので、次に、シフトＵＳＦを使用すると判断する。なお、シフトＵＳＦを使用する場合にも、ステップＳ３１００〜ステップＳ４１００の処理を行うことにより、まず、ＭＳが隣接セル信号レベル測定を含む期間としてＴｒａを使用できるか否かをチェックし、Ｔｒａを使用できない場合にＴｔａを使用する。すなわち、シフトＵＳＦを使用する場合は、Ｔｒａを最優先で使用し、これが不可能なときにＴｔａを第２優先で使用する。
【００８７】
なお、図１３の動作例では、各Ｕsf値について、ステップＳ４１００の後にステップＳ３２００〜ステップＳ３７００の処理をもう一度行うようにしているが、これに限定されるわけではない。出力としてＵsfおよびＴra_flag以外のパラメータ（例えば、Ｒxmin、Ｔxmin、Ｔxmaxなど）が不要であれば、つまり、ＵsfおよびＴra_flagだけ設定されていれば良い場合は、ステップＳ４１００の後に、ステップＳ３２００〜ステップＳ３７００の処理を繰り返すことなく、ただちに終了するようにしても良い。
【００８８】
タイミングコントローラ２２０は、移動局１００に対する信号の送受信のタイミングを決定し制御する。タイミングコントローラ２２０は、スロット割当計算器２２８の計算結果に従って、無線周波数変調器２２２、無線周波数復調器２０８、ベースバンドデータ受信器２０６、ベースバンド送信器２２４、マルチプレクサＭＳ２１０、およびデマルチプレクサＭＳ２３４の正確なタイミングおよび動作を制御する。具体的には、Ｔra_flag＝１の場合は、隣接セル信号レベル測定を含む期間としてＴrａを使用し、Ｔra_flag＝０の場合は、隣接セル信号レベル測定を含む期間としてＴｔａを使用し、また、Ｕsf＝０の場合はシフトＵＳＦを使用せず、Ｕsf＝−１の場合はシフトＵＳＦを使用するように、各部を制御する。
【００８９】
ダウンリンク
外部の基地局コントローラ２３０から送信されるユーザデータおよび制御データは、ＢＳＣインタフェースユニット２１８によって受け取られ、レイヤ３プロトコルユニット２１６に与えられる。レイヤ３プロトコルユニット２１６は、このデータを任意の無線リソース制御データと多重してレイヤ２プロトコルユニット２１４を介して送信する。レイヤ２プロトコルユニット２１４は、今度は、その多重データをデマルチプレクサＭＳ２３４に送る。デマルチプレクサＭＳ２３４は、各移動局１００に対するデータを正しいＴＤＭＡスロットに載せるべく正しいベースバンド送信器２２４に提供する。その後、このデータは、無線周波数変調器２２２によって変調され、その後、送信アンテナ２０４を介して送信される。複数の送信周波数を用いる場合は、１周波数ごとに一組の無線周波数変調器２２２およびベースバンド送信器２２４が設けられている。
【図面の簡単な説明】
【００９０】
【図１】上り（ＵＬ）および下り（ＤＬ）のタイムスロットに用いられる番号付け規則を示すＧＰＲＳ ＴＤＭＡフレーム構造を示す図
【図２】従来技術の４スロット定常状態の割り当てＲ１Ｔ４を示す図
【図３】従来技術では禁止されている５スロット定常状態の割り当てＲ１Ｔ５を示す図
【図４】本発明に係る方法によって可能になった５スロット定常状態の割り当てＲ１Ｔ５を示す図
【図５】上り３スロットを割り当てたクラス７移動局（ＭＳ）に適用されるシフト（shifted）ＵＳＦを示す図
【図６】上り２スロットを割り当てたクラス７移動局（ＭＳ）を示す図
【図７】移動局においてシフトＵＳＦを実施するためのフロー図
【図８】クラス３４移動局（ＭＳ）に対する上り１スロットから上り５スロットへの移行を示す図
【図９】クラス３４移動局（ＭＳ）に対する上り４スロットから上り５スロットへの移行を示す図
【図１０】本実施の形態に対応する移動局の一例を示すブロック図
【図１１】図１０中のスロット割当計算器の動作の一例を示すフローチャート
【図１２】本実施の形態に対応する基地局の一例を示すブロック図
【図１３】図１２中のスロット割当計算器の動作の一例を示すフローチャート
【符号の説明】
【００９１】
１００  移動局
１１２  ＮＣＥＬＬ測定ユニット
１２０、２２０  タイミングコントローラ
１２６、２２６  タイミングコントローラ設定計算器
１２８、２２８  スロット割当計算器
２００  基地局
【図１】
2005012810.tif 000005
【図２】
2005012810.tif 000006
【図３】
2005012810.tif 000007
【図４】
2005012810.tif 000008
【図５】
2005012810.tif 000009
【図６】
2005012810.tif 000010
【図７】
2005012810.tif 000011
【図８】
2005012810.tif 000012
【図９】
2005012810.tif 000013
【図１０】
2005012810.tif 000014
【図１１】
2005012810.tif 000015
【図１２】
2005012810.tif 000016
【図１３】
2005012810.tif 000017